(57)【要約】【課題】  アナグリフ方式の立体写真は、右目用画像と左目用画像とを撮影するに際して２台のカメラを操作することが困難であり、１台のカメラで２度撮影するには１度目の撮影位置に対して２度目の撮影位置を１度目のカメラ位置に合わせることが困難であった。【解決手段】  シャッター操作時の画像データを第１画像データとして記憶すると共に、この第１画像データによる半透過画像を水平方向にずらしてモニタ画面に表示し、２度目のシャッター操作時の画像データを第２画像データとして記憶し、この第２画像データと前記第１画像データとを合わせてモニタ画面に表示する立体写真用デジタルカメラとする。【選択図】    図５
2006238086.tif 000002
【特許請求の範囲】
【請求項１】
レンズを通して逐次撮像される被写体の画像をモニタ画面上に逐次更新しながら表示し、シャッター操作時に撮影された画像データを第１画像データとして記憶すると共に、この第１画像データによる画像を所定量ずらして前記モニタ画面上に重ね合わせて表示し、この表示状態におけるシャッター操作時に撮影された画像データを第２画像データとして記憶し、この第２画像データと前記第１画像データとを合成して立体写真として鑑賞可能な第３画像データを作成することを特徴とする立体写真用デジタルカメラ。
【請求項２】
前記第２画像データと前記第１画像データとを合成した画像データを保存用メモリに記憶し、及び又は前記モニタ画面に表示することを特徴とする請求項１に記載した立体写真用デジタルカメラ。
【請求項３】
前記第１の画像データによるずらした画像を前記モニタ画面上に重ね合わせて表示するに際し、ずらし量を被写体までの距離に応じて決定することを特徴とする請求項１又は請求項２に記載した立体写真用デジタルカメラ。
【請求項４】
前記第１画像データによるずらした画像をモニタ画面に表示するに際し、ずらし量を移動量テーブルにより算出することを特徴とする請求項１乃至請求項３の何れかに記載した立体写真用デジタルカメラ。
【請求項５】
前記移動量テーブルは、予め設定された基本テーブルと、この基本テーブルのずらし量に一定係数を掛けた修正テーブルとにより形成されていることを特徴とする請求項４に記載した立体写真用デジタルカメラ。
【請求項６】
前記第１画像データによるずらした画像をモニタ画面に表示するに際し、ずらし量を画面中央の被写体までの距離と、この被写体と異なる被写体までの距離とにより算出して被写体の位置をずらした画像を表示することを特徴とする請求項１乃至請求項３の何れかに記載した立体写真用デジタルカメラ。
【請求項７】
前記第１画像データによるずらした画像をモニタ画面に表示するに際し、ずらし量をカメラに最も近い被写体とカメラから最も遠い被写体までの距離とにより算出して被写体の位置をずらした画像を表示することを特徴とする請求項１乃至請求項３の何れかにに記載した立体写真用デジタルカメラ。
【請求項８】
前記第１画像データによるずらした画像をモニタ画面に表示するに際し、ずらし量を画面内に存在する複数の被写体の各々までの距離により算出して各被写体の位置をずらした画像を表示することを特徴とする請求項１乃至請求項３の何れかにに記載した立体写真用デジタルカメラ。
【請求項９】
前記第１画像データによるずらした画像をモニタ画面に表示するに際し、半透過画像として表示することを特徴とする請求項１乃至請求項８の何れかに記載した立体写真用デジタルカメラ。
【請求項１０】
デジタルカメラにより被写体を撮影したとき、この撮影した画像を所定量ずらせた画像をモニタ画面に表示した状態での２度目の撮影による画像と前回の画像とを合成してカメラに記憶させることを特徴とする立体写真の撮影方法。
【請求項１１】
撮影者がカメラ移動させて２度目の撮影を行うために待機している間、前記所定量ずらせた画像をモニタ画面に表示し、この画像に一致させる画像のカメラ位置で撮影者が２度目の撮影を行うのを案内することを特徴とする請求項１０に記載した立体写真の撮影方法。
【請求項１２】
前記所定量ずらせた画像は、撮影した画像を略水平方向に所定量だけずらせた画像であることを特徴とする請求項１０又は請求項１１に記載の立体写真の撮影方法。
【請求項１３】
撮影者がカメラを移動させて２度目の撮影を行うために待機している間、カメラから距離の異なる被写体によりずらし量を変化させた画像を表示し、この画像に合わせてカメラの位置及び方向を僅かに変えて撮影者が２度目の撮影を行うのを案内することを特徴とする請求項１０乃至請求項１２の何れかに記載した立体写真の撮影方法。
【発明の詳細な説明】
【技術分野】
【０００１】
本発明は、デジタルカメラに関し、尚詳しくは、立体写真が撮影可能なデジタルカメラ及びその撮影方法に関するものである。
【背景技術】
【０００２】
今日、立体写真としては、レンチキュラーレンズを用いた立体写真、及び、右目用画像と左目用画像とを赤色と青色とで形成するアナグリフ方式の写真又はコンピュータ画像及びコンピュータ画面の印刷が数多く使用されるようになってきた。
【０００３】
このレンチキュラーレンズを用いた立体写真は、同一被写体を左右に僅かにずらせた撮影位置から撮影した２枚の画像を各々レンチキュラーレンズの幅に合わせた細線に切断し、右目用画像と左目用画像とを交互に並べた縞模様の画像に合成し、この縞模様の合成画像をレンチキュラーレンズの下に配置し、レンチキュラーレンズを通して右目用画像を右目で、左目用画像を左目で見るようにしたものである（例えば特許文献１）。
【０００４】
また、アナグリフ方式の画像は、多くは赤色と青色とによる右目用画像と左目用画像とを合わせて印刷し、又はテレビ画面などに表示し、右目用画像が赤色で表示される場合は右目用レンズに赤色フィルタを設け、左目用レンズに青色フィルタを設けた眼鏡により表示された写真や画面の画像を見ることにより、立体的に画像を観察することができるものであり、カラーテレビなどを用いて例えば右目用画像を青色と緑色のＢ信号とＧ信号とで形成し、左目用画像を赤色であるＲ信号により形成するものも提案されている（例えば特許文献２）。
【特許文献１】特開平０５−０７２６５３号公報
【特許文献２】特表平１１−５０４１６７号公報
【発明の開示】
【発明が解決しようとする課題】
【０００５】
前述のように、レンチキュラーレンズを用いた立体写真は、そのままで写真像を立体的に見ることができるも、レンチキュラーレンズのピッチに合わせた縞状に像を形成すること、及び、レンチキュラーレンズ板との張り合わせなどの手数を要し、また、そのための専用装置が必要となることもあり、作成が困難であった。
【０００６】
また、アナグリフ方式の立体写真も、右目用画像と左目用画像とを撮影するに際して２台のカメラを用意し、この２台のカメラを適切な位置に固定する必要があり、また、１台のカメラで左右の画像を同時に撮影するにはミラーやプリズムを用いたアダプタが必要となり、１台のカメラで２度撮影するには１度目の撮影位置に対して２度目の撮影位置を１度目のカメラ位置に合わせることが困難となるため、容易に立体写真を作成することができなかった。
【０００７】
本発明は、上述の欠点を排除し、大掛かりな専用装置を用いたり、難しい作業を行うことなく、容易に立体写真を作製することのできるカメラ及び撮影方法を提供するものである。
【課題を解決するための手段】
【０００８】
本発明は、レンズを通して逐次撮像される被写体の画像をモニタ画面（130）に逐次更新しながら表示し、シャッターボタン（110）を操作した時の画像データを第１画像データとして記憶すると共に、この第１画像データによる画像をずらしてモニタ画面（130）に表示し、２度目のシャッターボタン（110）操作時の画像データを第２画像データとして記憶し、この第２画像データと前記第１画像データとを合成した第３画像データとしてモニタ画面（130）に表示し、又はメモリ（210）や記憶媒体（220）に記憶することにより、立体写真を形成することができるようにしたデジタルカメラ（100）とするものである。
【０００９】
また、前記第１画像データによるずらした画像をモニタ画面（130）に表示するに際しては、ずらし量を画面中央の被写体など、モニタ画面（130）上の複数の被写体までの距離に基づいて、ずらし量を移動量テーブルにより算出する立体写真用デジタルカメラ（100）とする場合、又は、複数の被写体までの距離に基づいて計算により算出するデジタルカメラ（100）とする場合がある。
【００１０】
なお、移動量テーブルは、予め設定された基本テーブルとこの基本テーブルのずらし量に一定係数を掛けた修正テーブルを形成して立体写真用デジタルカメラ（100）に記憶させておく場合がある。
さらに、第１画像データによる画像をモニタ画面（130）に表示するに際しては、半透過画像として表示するデジタルカメラ（100）とすることが好ましい。
【００１１】
また、本発明は、デジタルカメラ（100）により被写体を撮影したとき、この撮影した画像を所定量ずらせた画像をモニタ画面（130）に表示した状態での２度目の撮影を行った画像を前回の画像と合成してカメラ（100）に記憶させる立体写真の撮影方法とするものである。
【００１２】
なお、２度目の撮影を行うに際し、１度目の撮影画像を僅かにずらせた画像を表示して撮影者に２度目の撮影を案内する場合と、カメラ（100）からの距離の異なる被写体毎にずらせた画像を表示してカメラ（100）の位置と向きとを僅かにずらせて２度目の撮影を案内する場合などがある。
【発明の効果】
【００１３】
本発明は、シャッター操作による第１画像データと第２画像データとを記憶して合成する立体写真用デジタルカメラであるから、立体写真を容易に合成することができ、第２画像データを形成するに際し、第１画像データによる画像をずらせた画像をモニタ画面130に表示し、この画像に合わせて第２画像データを記録するためのカメラ位置を案内してシャッター操作をすることができるカメラであるから、立体写真を容易に作成することができる。
【００１４】
また、第１画像データによる画像表示に際し、ずらし量をテーブルにより算出して画像表示を行うカメラは、第２画像データを記憶するカメラ位置の案内を迅速に行うことができ、計算により被写体の距離によるずらし量を算出するカメラは、立体感の強い立体写真を作成することができる。
【００１５】
そして、第１画像データにより半透過画像を表示するカメラは、２度目のシャッター操作を行うカメラ位置の位置あわせを容易に行うことができるものである。
【００１６】
さらに、デジタルカメラによりカメラ位置を水平方向にずらせて２回撮影を行うに際し、最初の撮影画像をずらせた画像をモニタ画面に表示する方法は、カメラのずらし位置を容易に決定することができ、立体写真の作成を容易とすることができる方法である。
【発明を実施するための最良の形態】
【００１７】
本発明の最良の形態は、レンズ151、155を通して撮像素子170に逐次撮像される被写体の画像をモニタ画面130に逐次更新しながら表示し、シャッターボタン110を操作した時の画像データを第１画像データとして記憶すると共に、画面中央の被写体とこの被写体と異なる被写体までの距離に基づいて被写体のずらし量を算出することにより被写体の位置をずらせた第１画像データによる半透過画像をモニタ画面130に表示し、この半透過画像と重ねるようにレンズを通して逐次撮像される被写体の画像をモニタ画面130に逐次更新しながら表示し、この状態で２度目のシャッターボタン110が操作された時の撮像素子170に撮像されている画像データを第２画像データとして記憶し、この第２画像データと前記第１画像データとに、各々赤色フィルタ処理と青色及び緑色フィルタ処理を施して画像を合成した第３画像データを形成することによってモニタ画面130に表示し、この第３画像データをメモリ210や記憶媒体220に記録することを可能とする立体写真用デジタルカメラ100とするものである。
【００１８】
なお、第１画像データによる画像をモニタ画面130に表示するに際しては、予め被写体との距離によるずらし量を記録した移動量テーブルを対照することにより、ずらし量を算出して第１画像データによる半透過画像をモニタ画面130に表示する場合がある。
【実施例】
【００１９】
本発明に係る立体写真用カメラの実施の形態は、図１に示すようなデジタルカメラ100であり、外観は従来のデジタルカメラ100と同様に、カメラ100の正面に沈胴式のレンズ鏡筒102、ストロボ発光窓106、及び、ファインダ前窓104などを有すると共に、ボディの上面に電源スイッチ108及びシャッターボタン110などを有し、さらに、ボディの背面にファインダ後窓112、撮影ボタン116、再生ボタン118、ズームボタン114、メニューボタン120、方向移動ボタン122、ＳＥＴボタン124、ＤＩＳＰボタン126、及び、表示画面とする液晶モニタのモニタ画面130などを有している。
【００２０】
そして、図３に示すように、ボディの底面にはＵＳＢ端子225と記憶媒体収納部のカバー132を有し、このカバー132を開くことによってボディの内部に実装されたバッテリー201や大容量の記憶媒体220（たとえば、カード型フラッシュメモリやカード型ハードディスクなど）を着脱できるようにしている。
【００２１】
なお、ＳＥＴボタン124は、メニュー画面などでカーソル枠の表示がされたとき、方向移動ボタン122によりカーソル枠の移動を操作してメニュー画面に表示されたメニューを選択する場合に用いるものであり、メニューボタン120は各種メニューを表示させるためのものであって、撮影モード時に操作すると撮影画素数の設定、撮影画質として圧縮率の異なるファインモード、ノーマルモード、エコノミーモードの設定、静止画と動画や音声録音の切り換え、セルフタイマー、ストロボ、ホワイトバランスなどの各種撮影条件の設定を行うことができ、再生モード時に操作すると、画面の自動送り、プロテクトの設定、印刷枚数の設定、画像の回転、トリミング、リサイズなどの設定を行うことができる。
【００２２】
そして、ＤＩＳＰボタン126は、モニタ画面130上に各種情報を表示するためのボタンであり、画素数、画質、静止画か動画又は音声の区別、日付、時間、バッテリー残量、メモリ残量などを表示し、又は表示を消去して画像だけの表示を行うように切り換えるものである。
【００２３】
そして、このデジタルカメラ100の内部構造は、図４に示すように、マイクロコンピュータが組み込まれた主制御回路180により撮像系や画像表示の制御を行っているものである。
【００２４】
このデジタルカメラ100のレンズ鏡筒102に組み込まれるフォーカスレンズ151やズームレンズ155、開口絞り168やメカシャッター167は撮像系制御回路160で制御するものであり、赤外線などを用いた距離速度検出部165や焦点検出センサ161からインターフェースを介して距離速度検出部165に入力される信号に基づき、視野中央の物体までの距離などを検出して撮像系制御回路160はドライバーを介してフォーカスモータ152を駆動し、オートフォーカス機能により撮像素子170に対象を鮮明に結像させ、また、ズームボタン114の操作に合わせてドライバーを介してズームモータ156を駆動して画像の倍率を変更するものである。
【００２５】
また、駆動制御部171により駆動される撮像素子170から出力された画像データ信号は、サンプルホールド回路173、オートゲインコントロール回路175によりレベル調整され、アナログデジタル変換回路177でデジタル画像データに変更される。
【００２６】
そして、画像処理部182で輝度信号と色差信号されて記憶媒体220や内部のメモリ210に記憶され、また、ＲＧＢ信号とされて表示制御部185のフレームメモリ187や記憶媒体220又は内部のメモリ210に書き込まれ、表示制御部185のフレームメモリ187に書き込まれたときは表示部189であるモニタ画面130に表示されるものである。
【００２７】
なお、電源スイッチ108が操作されたとき、カメラ100内に収納されているバッテリー201から電源制御部203を介して各部に電力が供給され、視野が暗いときはフラッシュ駆動部205に充電を行ってストロボランプ207の点灯準備を行い、また、ズームボタン114、方向移動ボタン122、ＳＥＴボタン124、などの操作部190におけるボタンやスイッチが操作されたときは入力回路192を介して操作信号が主制御回路180に入力され、操作されたボタンなどに応じてズーム処理や画像処理が行われるものである。
【００２８】
この画像処理では、電源スイッチ108がオン状態とされ、撮影ボタン116が操作されて撮影モードが設定されたときは、メカシャッター167を開き、レンズ151、155を通して撮像素子170に逐次撮像される被写体の画像をモニタ画面130に逐次更新しながら表示するものであって、撮像素子170で撮像している画像をそのままスルー画像としてモニタ画面130に表示し、ズームボタン114が操作されるとズームモータ156を駆動して倍率を変更し、光学ズームが最大になると画像処理による電子ズーム処理により倍率の変更を行いつつスルー画像をモニタ画面130に表示し、シャッターボタン110が操作されたときの画像データをメモリ210に記録するものである。
【００２９】
また、再生ボタン118が操作されると再生モードの画像処理を行い、メモリ210に記録している画像データによりＲＧＢ信号を表示制御部185のフレームメモリ187に書き込み、この画像データに基づく画像をモニタ画面130に表示する。
【００３０】
そして、画像データに基づく画像表示に際しては、全画素を制御する通常表示のほか、縦及び横の数画素毎の画素データによる画像表示を行うことにより半透過画像として表示するなどの特殊画像表示も可能としているものである。
【００３１】
なお、半透過画像を表示する方法として、画像データを縦及び横の数画素毎に間引いてフレームメモリ187に書き込む方法を用いる他、背景画像の画素の色と半透過画像における同じ画素の色とを平均化するなどの画素演算を行ってフレームメモリ187上の画素データを書き換える方法などを利用することもできる。
【００３２】
さらに、このカメラ100では、立体写真モードで使用する距離と移動量との関数テーブルをメモリ210に有するものであり、メニューボタン120操作により立体写真モードが選択されると、シャッターボタン110の操作による１回目の撮影を行ったとき、撮影した画像に基づいて２回目の撮影位置の指示画像の表示をモニタ画面130に表示するものである。
【００３３】
この立体写真モードでは、図５に示すように、主制御回路180は、先ず、シャッターボタン110の操作が行われたか否かの判断である第１シャッター操作判断（Ｓ１０１）を行い、シャッターボタン110の操作が行われたとき、画像データをメモリに記憶する第１画像データ記録（Ｓ１０３）を行うと共に、このときの視野中央の対象物までの距離データを距離速度検出部165から読み出す焦点距離読込み（Ｓ１０５）を行い、この読み込んだ焦点距離に基づき、移動量テーブルを対照する移動量テーブル対比（Ｓ１１０）を行うものである。
【００３４】
この距離と移動量との関数テーブルである移動量テーブルを対照する移動量テーブル対比（Ｓ１１０）は、カメラ100の視野角やモニタ画面130の画素数に合わせてカメラ100から所要距離に置かれた長さ１０センチメートルの物体がズーム倍率１倍の状態においてモニタ画面130上の何画素で表示されるかを示すカメラ100からの距離と画素数との関係を記録した基本テーブルをコピーした修正テーブルを参照し、焦点距離読込み（Ｓ１０５）で読み込んだ距離に対応する画素数を修正テーブルから読み出すものである。
【００３５】
そして、メモリに記憶した第１画像データを読み出す画像データ読出し（Ｓ１１２）を行い、この画像データの所要画素を間引いてフレームメモリ187に書き込む等の半透過画像書込み（Ｓ１１４）を行うものであり、この半透過画像書込みに際しては、移動量テーブル対比（Ｓ１１０）で読み出した画素数だけ水平方向に画素をずらせてフレームメモリ187に書き込むものである。
【００３６】
従って、モニタ画面130では、シャッターボタン110を押した状態でカメラ100を固定していると、図６に示すように、シャッターを押して撮影した状態の画像であるスルー画像とこの画像を水平方向に移動させるようにずらした状態の半透過画像とがモニタ画面130に表示される。
【００３７】
そして、このモニタ画面130を見ながらカメラ100を水平に平行移動させ、半透過画像とスルー画像とが重なる位置にカメラ100を合わせてシャッターボタン110を押すと、主制御回路180は、シャッター操作が行われたか否かの判断である第２シャッター操作判断（Ｓ１２１）によりこの画像データをメモリ210に記憶する第２画像データ記録（Ｓ１２３）を行う。
【００３８】
なお、第２画像データ記録（Ｓ１２３）を行うための半透過画像によるカメラ位置の案内は、略水平方向に右目と左目との位置差である１０センチメートル程度の移動量を基準とし、カメラ100を基準の移動量だけ移動させたときのモニタ画面130上のずれ量を基準の所定量とするようにしてずらした画像を表示するものである。
【００３９】
また、この第２画像データ記録（Ｓ１２３）に際しては、第１画像データとの結合情報及び移動量情報も画像データと合わせて記録し、第１画像データの記録ファイルにもこの第２画像データとの結合情報及び移動量情報も画像データを書き込むものである。
【００４０】
そして、この第２画像データ記録（Ｓ１２３）を行った後は、メニュー操作により立体画像表示が選択されるか否かの判断である立体像表示判断（Ｓ１２５）及びモード切り換えの操作が行われたか否かの判断であるモード切換え判断（Ｓ１５０）を行って立体表示の選択及びモード切り換えの操作が行われなければ第１シャッター操作判断（Ｓ１０１）に戻るものである。
【００４１】
また、立体像表示が選択されたときは、メモリ210に記憶されている第１画像データを読み出す第１画像データ読出し（Ｓ１３０）を行ってこの画像データからＲ信号データのみを抜き出す第１フィルタ処理（Ｓ１３２）を行い、第２画像とのズレである移動量の２分の１だけ画素をずらしてフレームメモリ187に書き込むフレームメモリ187書込み（Ｓ１３４）を行う。
【００４２】
更に、メモリ210から第２画像データを読み出す第２画像データ読出し（Ｓ１４０）、及びこの第２画像データからＧ信号データ及びＢ信号データを抜き出す第２フィルタ処理（Ｓ１４２）を行って移動量の２分の１だけ画素を第１画像データとは逆方向にずらせるようにして、既に書き込まれている第１画像データと合成した第３画像データとしてフレームメモリ187に書き込むフレームメモリ書込み（Ｓ１４４）を行う。
【００４３】
従って、モニタ画面130には、赤色の第１画像が表示されると共に、この画像と撮影位置を僅かにずらせた第２画像が青色及び緑色で所要の画素数だけずらして合成表示することにより、アナグリフ画像を形成して表示することができるものである。
【００４４】
そして、主制御回路180では、このアナグリフ画像をメモリ210や外部メモリである記憶媒体220に記録するか否かのメモリ記録判断（Ｓ１４６）を行い、メモリ記録の操作がされるとメモリ210や記憶媒体220への書込み処理であるメモリ書込み（Ｓ１４８）を行ってモード切り換えの操作が行われたか否かの判断であるモード切換え判断（Ｓ１５０）を行い、モード切り換えの操作が行われたときは立体写真モードを終了し、選択されたモードに移行するものである。
【００４５】
従って、メモリ書込み（Ｓ１４８）により記録された画像データは、いつでもモニタ画面130に表示させて立体写真として鑑賞できる他、この記録された画像データを印刷することにより、立体写真を作成して持ち歩くことなども可能とすることができる。
【００４６】
なお、立体写真モードで１度シャッターボタン110が操作されて第１画像データをメモリ210に記憶した後、２度目のシャッターボタン110の操作が行われることなくモード切換えが行われた場合も、モード切換え判断（Ｓ１２９）により第２画像データを記録することなく終了する。
【００４７】
このように、本実施例のデジタルカメラ100では、立体写真モードとすることにより、撮影した画像に対してカメラ100を平行移動させて再度第２画像の撮影する際の第２画像を半透過画像でモニタ画面130に表示するため、この半透過画像とスルー画像とを合わせるようにカメラ100を案内することができ、第１画像に合わせた第２画像の撮影が極めて容易に行えるものであり、被写体との距離に応じて移動量テーブルによりカメラ100の移動距離の指示を変化させるため、立体感の高いアナグリフ画像を形成することができる。
【００４８】
なお、移動量テーブルとして、カメラ100に設けられているモニタ画面130の大きさや画素数及び光学レンズなどによる視野角に合わせて予めメモリに設定記憶されている基本テーブルと、この基本テーブルのデータをコピーする修正テーブルを設けているゆえ、撮影者の感覚に合わせ、基本テーブルに記憶されている移動画素数に一定係数を掛けた修正テーブルを作成しておくことにより、撮影者の感覚に合わせたカメラ100の移動量とすることもできる。
【００４９】
また、この立体写真モードは、視野中央の被写体とカメラ100との距離に合わせてカメラ100を平行移動させる場合に限ることなく、視野内の複数の対象物までの距離を演算してカメラ100の位置及び向きを変えて２枚の写真を撮影することを案内するデジタルカメラ100とすることもある。
【００５０】
この第２実施例のデジタルカメラ100は、シャッターボタン110が操作されたとき、視野内の複数点で被写体までの距離を距離速度検出部165で測定することにより、カメラ100からの距離の異なる被写体までの各距離データを画像データと合わせてメモリに記録すると共に、この撮影時のズーム率もメモリに記録するものである。
【００５１】
そして、主制御回路180は、記録した距離データにより画面中央の被写体と異なる距離の被写体を選択し、画像中央の被写体までの距離をＡメートル、他の被写体までの距離をＢメートルとしたとき、右目と左目とによる視差角θを式（１）により算出する。
【００５２】
【数１】
2006238086.tif 000003
【００５３】
更に、被写体のずらし量をＬとしてズーム率をＹとするとき、式（２）によりずらし量を算出する。
【００５４】
【数２】
2006238086.tif 000004
【００５５】
但し、Ｔはズーム率が１倍のとき１メートル先の１０センチメートルの物体がモニタ画面130上の何画素で表示されるかに基づいて定められる定数である。
【００５６】
このようにして、前記実施例の移動量テーブルとの対比に換えて画面中央の対象物と距離の異なる被写体のずらし量を計算により算出し、第１画像データを読み出したとき、画像中央の被写体とこの被写体と異なる距離の被写体との各被写体に対応する部分画像を切り出し、式（２）で算出したずらし量Ｌに基づいて画面中央の被写体と異なる被写体を移動させた修正画像を作成し、この修正画像の半透過画像データをフレームメモリ187に書き込むものである。
【００５７】
従って、第１画像とは被写体の位置がずれた修正画像の半透過画像をモニタ画面130に表示することができ、この半透過画像を案内として利用することにより、撮影者は、この半透過画像とスルー画像とを重ねるようにカメラ100の位置及び方向を変えてシャッターボタン110を押すことで、容易に立体画像用の第２画像データを記録することができる。
【００５８】
この第２画像及び第１画像を前記実施例と同様に読み出してＲ信号を抜き出すフィルタ処理やＧ信号及びＢ信号を抜き出すフィルタ処理を施してフレームメモリ187に書き込めば、アナグリフ画像をモニタ画面130に表示することができ、メモリ210に記録しておけば、プリントや他のコンピュータで立体画像として表示することができる。
【００５９】
従って、第１実施例のアナグリフ画像は、右目用画像全体が左目用画像全体と略同一にして全体として左右にずれた画像であったのに対し、第２の実施例では、画面中央の被写体を重ねるようにし、この被写体よりも近い被写体を右目用画像では左にずらし、この被写体よりも遠い被写体が右目用画像では右にずらしたアナグリフ画像を形成することができる。
【００６０】
なお、第２実施例では、画面中央の被写体を基準にずらし量の算出を行っているも、第１画像データを記録する際、この第１画像の各被写体の距離測定を行ったとき、複数の測定点の内、図７に示すように、最もカメラ100に近い被写体の近点ＺＰまでの距離をＡとし、最もカメラ100からの距離が遠い被写体の近点ＸＰまでの距離をＢとし、図７の左側位置（Ｘ）で第１画像を記録すると共に式（１）及び式（２）によりずらし量Ｌを算出し、遠点の被写体を２分のＬだけ左にずらし、且つ、近点の被写体を２分のＬだけ右にずらした修正画像を左目用の第２画像として形成し、この修正画像を半透過画像としてモニタ画面130に表示することもある。
【００６１】
従って、距離の異なる複数の被写体がカメラ100の視野内に存在するとき、図８の（Ｘ）に示すような右目用の第１画像の画像データに基づいて左目用の半透過画像を形成して２度目のシャッター位置を案内することにより第２画像データの記録を行って図８の（Ｙ）に示す如き第２画像を形成することができ、この第１画像データによる赤色画像と第２画像データによる青色及び緑色画像を合わせることにより、図９に示すような立体画像用のアナグリフ画像を形成することができる。
【００６２】
なお、上記実施例は、左右の画像データに赤及び青のフィルタ処理を行って互いに重ね合わせることによりアナグリフ画像として合成して立体写真を作成し、鑑賞時には、色セロファンを貼り付けた眼鏡等の安価な緩衝装置を用いることができるようにしているも、これに限らず、フィルタ処理を行った左右の画像を互いに重ならない位置に合成した右目用画像と左目用画像とを有する立体写真とし、鑑賞時には、ミラーやプリズムを用いて左右の画像を左右別々の目で見れるようにした鑑賞装置を用いることもある。
【産業上の利用可能性】
【００６３】
本発明は、シャッターボタンを操作したとき、このときの視野像を記録すると共に、この視野像をずらせた画像をモニタ画面に表示して２度目の視野を示し、この視野に合わせてカメラを僅かに移動させることにより立体写真用の右目用画像と左目用画像とを記録することのできるデジタルカメラであるから、立体写真を極めて容易に作成することができるカメラである。
【図面の簡単な説明】
【００６４】
【図１】本発明に係るデジタルカメラの外観の一例を示す正面斜視図。
【図２】本発明に係るデジタルカメラの外観の一例を示す背面斜視図。
【図３】本発明に係るデジタルカメラの外観の一例を示す底面斜視図。
【図４】本発明に係るデジタルカメラの内部機構の一例を示す図。
【図５】本発明に係るデジタルカメラの立体写真モードの処理手順を示すフローチャート図。
【図６】本発明に係るデジタルカメラの第１実施例における画面表示例を示す図。
【図７】本発明に係るデジタルカメラの第２実施例における立体写真作成の概要を示す図。
【図８】本発明に係るデジタルカメラの第２実施例における第１画像データによる画像と第２画像データによる画像の一例を示す図。
【図９】本発明に係るデジタルカメラの第２実施例における第１画像データと第２画像データとによる合成画像の例を示す図。
【符号の説明】
【００６５】
１００  デジタルカメラ
１０２  レンズ鏡筒                １０４  ファインダ前窓
１０６  ストロボ発光窓            １０８  電源スイッチ
１１０  シャッターボタン          １１２  ファインダ後窓
１１４  ズームボタン              １１６  撮影ボタン
１１８  再生ボタン                １２０  メニューボタン
１２２  方向移動ボタン            １２４  ＳＥＴボタン
１２６  ＤＩＳＰボタン            １３０  モニタ画面
１３２  カバー
１５１  フォーカスレンズ          １５２  フォーカスモータ
１５３  ドライバー                １５５  ズームレンズ
１５６  ズームモータ              １５７  ドライバー
１６０  撮像系制御回路            １６１  焦点距離センサ
１６３  インターフェース          １６５  距離速度検出部
１６７  メカシャッター            １６８  開口絞り
１７０  撮像素子                  １７１  駆動制御部
１７３  サンプルホールド回路    
１７５  オートゲインコントロール回路
１７７  アナログデジタル変換回路
１８０  主制御回路                １８２  画像処理部
１８５  表示制御部                １８７  フレームメモリ
１８９  表示部                    １９０  操作部
１９２  入力回路
２０１  バッテリー                ２０３  電源制御部
２０５  フラッシュ駆動部          ２０７  ストロボランプ
２１０  メモリ                    ２２０  記憶媒体
２２３  インターフェース          ２２５  ＵＳＢ端子
２２７  インターフェース
【図１】
2006238086.tif 000005
【図２】
2006238086.tif 000006
【図３】
2006238086.tif 000007
【図４】
2006238086.tif 000008
【図５】
2006238086.tif 000009
【図６】
2006238086.tif 000010
【図７】
2006238086.tif 000011
【図８】
2006238086.tif 000012
【図９】
2006238086.tif 000013